(57)【要約】【課題】利用者が不安を感じずに撮影した画像をダウンロードすることができる、画像撮影装置などを提供する。【解決手段】撮影装置とサーバ装置とを有する画像撮影システムであり、撮影装置は、端末装置の利用者の画像を撮影する撮影部と、端末装置の利用者より通知先情報を取得する通知先情報取得部と、通知先情報取得部により取得された通知先情報および撮影された画像情報をサーバ装置に送信する送信部を有し、サーバ装置は、通知先情報および画像情報を受信する受信部と、受信部により受信された画像情報を格納する画像格納部と、受信部により受信された通知先情報の表わす通知先へ、画像情報格納部に格納された画像情報をダウンロードするためのダウンロード情報を送信するダウンロード情報送信部と、ダウンロード情報を受信すると画像情報をダウンロードするダウンロード部とを有する画像撮影システムを提供する。【選択図】図１
2013239028.tif 000002
【特許請求の範囲】
【請求項１】
撮影装置とサーバ装置とを有する画像撮影システムであり、
前記撮影装置は、
端末装置を利用する利用者の画像を撮影する撮影部と、
前記端末装置の利用者より通知先情報を取得する通知先情報取得部と、
前記通知先情報取得部により取得された通知先情報および前記撮影された画像情報を前記サーバ装置に送信する送信部と、
を有し、
前記サーバ装置は、
前記撮影装置より送信された通知先情報と画像情報とを受信する受信部と、
前記受信部により受信された画像情報を格納する画像格納部と、
前記受信部により受信された通知先情報の表わす通知先へ、前記画像情報格納部に格納された画像情報をダウンロードするためのダウンロード情報を送信するダウンロード情報送信部と、
ダウンロード情報を受信すると受信されたダウンロード情報により特定される画像情報をダウンロードするダウンロード部と
を有する画像撮影システム。
【請求項２】
前記通知先情報は、前記サーバ装置がダウンロード情報を一方的に送信する宛先を表わすことを特徴とする請求項１に記載の画像撮影システム。
【請求項３】
前記通知先情報は、インターネットを介して提供されるサービスを介して前記端末装置を利用する利用者にメッセージを送信するための情報であることを特徴とする請求項２に記載の画像撮影システム。
【請求項４】
前記通知先情報は、前記端末装置から送信され前記サーバ装置が受信することを特徴とする請求項１から３のいずれかに記載の画像撮影システム。
【請求項５】
前記通知先情報は、前記端末装置の有するディスプレイに表示され、前記撮影装置は前記ディスプレイに表示された通知先情報を前記撮影部により撮影することにより前記通知先情報を受信することを特徴とする請求項４に記載の画像撮影システム。
【発明の詳細な説明】
【技術分野】
【０００１】
本発明は、画像を撮影し、撮影された画像をサーバに転送して、端末装置に画像をダウンロードして入手する画像撮影システムに関する。特に、画像をダウンロードするためのダウンロード情報をサーバが端末装置に向けて送信し、画像をダウンロードできる画像撮影システムに関する。
【背景技術】
【０００２】
ゲームセンターなどにおいて、写真シール機、プリントシール機やステッカー写真機などとして知られている画像撮影印刷装置が配置されている。この画像撮影印刷装置は、利用者を撮影する機能を有し、撮影により得られた画像に対して、利用者がいわゆる「落書き」などにより修飾を行ない、修飾された画像を印刷する機能を有する。また、このとき、利用者は、撮影、修飾および印刷に対する対価に相当する硬貨や紙幣を画像撮影印刷装置の投入口に投入し、対価の徴収が行われる。
【０００３】
近年、印刷する機能に加えて、画像撮影印刷装置により撮影された画像をサーバに転送し、利用者がサーバにアクセスし、サーバより画像をダウンロードする機能を有する画像撮影システムが知られている。
【発明の概要】
【発明が解決しようとする課題】
【０００４】
このような画像撮影システムにおいては、撮影された画像がサーバに転送されるときに、利用者の設定したパスワード、あるいは、生年月日と携帯電話番号の組み合わせなどの利用者の固有の情報が画像撮影印刷装置に入力される。そして、利用者は、サーバにアクセスする場合に、画像撮影印刷装置に入力したパスワードや利用者の固有の情報をサーバに送信して、サーバにおいてパスワードや利用者の固有の情報の一致が確認された後に、撮影された画像を、利用者の有する端末装置に、ダウンロードして入手することができる。
【０００５】
このため、画像撮影印刷装置に入力したパスワードや利用者の固有の情報を利用者が失念してしまうと画像をダウンロードすることができなくなるうえ、他人にパスワードや利用者の固有の情報が推測されてしまうと他人に画像をダウンロードされてしまうこととなる。このため、利用者は画像撮影印刷装置の利用に不安を感じてしまい、画像撮影印刷装置の利用が増大しない。
【０００６】
そこで、本発明では、利用者が不安を感じずに撮影した画像をダウンロードすることができる、画像撮影装置などを提供する。
【課題を解決するための手段】
【０００７】
本発明の一実施形態として、撮影装置とサーバ装置とを有する画像撮影システムを提供する。撮影装置は、端末装置を利用する利用者の画像を撮影する撮影部と、端末装置の利用者より通知先情報を取得する通知先情報取得部と、通知先情報取得部により取得された通知先情報および撮影された画像情報を前記サーバ装置に送信する送信部とを有する。サーバ装置は、撮影装置より送信された通知先情報と画像情報とを受信する受信部と、受信部により受信された画像情報を格納する画像格納部と、受信部により受信された通知先情報の表わす通知先へ、画像情報格納部に格納された画像情報をダウンロードするためのダウンロード情報を送信するダウンロード情報送信部と、ダウンロード情報を受信すると受信されたダウンロード情報により特定される画像情報をダウンロードするダウンロード部とを有する。
【発明の効果】
【０００８】
本発明によれば、利用者は、利用者の通知先情報を画像撮影装置に入力し、画像撮影装置は入力された通知先情報と画像とをサーバに送信するので、サーバは、送信された通知先情報を用いてその利用者のみにダウンロードに関する情報を送信して提供することができる。したがって、パスワードを利用者が失念してしまうと画像をダウンロードすることができなくなることや、他人に画像がダウンロードされてしまうことを抑制することができる。
【図面の簡単な説明】
【０００９】
【図１】本発明の一実施形態に係る画像撮影システムの機能ブロック図
【図２】本発明の一実施形態に係る撮影装置の機能ブロック図
【図３】本発明の一実施形態に係る撮影装置の撮影部の機能ブロック図
【図４】本発明の一実施形態に係る背景画像部分の特定および修飾について説明する図
【図５】本発明の一実施形態に係る撮影装置の画像保持部の機能ブロック図
【図６】本発明の一実施形態における第１画像情報と第２画像情報との種々の形態を説明する図
【図７】本発明の一実施形態に係る撮影装置の画像修飾部の機能ブロック図
【図８】本発明の一実施形態に係る撮影装置の通知先情報取得部の機能ブロック図
【図９】本発明の一実施形態に係る撮影装置の送信部の機能ブロック図
【図１０】本発明の一実施形態に係る撮影装置の処理のフローチャート
【図１１】本発明の一実施形態に係るサーバ装置の機能ブロック図
【図１２】本発明の一実施形態に係るサーバ装置の画像情報受信部の機能ブロック図
【図１３】本発明の一実施形態に係るサーバ装置の画像格納部の機能ブロック図
【図１４】本発明の一実施形態に係るサーバ装置のダウンロード情報送信部の機能ブロック図
【図１５】本発明の一実施形態に係るサーバ装置のダウンロード部の機能ブロック図
【図１６】本発明の一実施形態に係るサーバ装置の処理のフローチャート
【図１７】本発明の一実施形態に係る端末装置の機能ブロック図
【図１８】本発明の一実施形態に係る端末装置の処理のフローチャート
【図１９】本発明の一実施形態に係る画像撮影システムの処理のシーケンス図
【発明を実施するための形態】
【００１０】
以下、本発明を実施するための形態を実施形態として説明する。なお、本発明は、以下に説明する実施形態に限定されることはなく、種々に変形を施しても実施することができる。
【００１１】
図１は、本発明の一実施形態に係る画像撮影システムの機能ブロック図を示す。画像撮影システム１００は、撮影装置１０１と、サーバ装置１０２と、端末装置１０３とを有する。撮影装置１０１とサーバ装置１０２とは第１の通信網により接続され、また、サーバ装置１０２と端末装置１０３とは第２の通信網により接続される。第１の通信網は例えばインターネットなどの公衆通信網であったり専用線による通信網であったりする。また、撮影装置１０１の設置を容易などにするために、第１の通信網として、携帯電話用の通信網が用いられてもよい。第２の通信網も第１の通信網と同じインターネットなどの通信網であってもよい。携帯端末１０３が携帯電話などであれば、第２の通信網は、携帯電話用の通信網、公衆無線ＬＡＮを用いた通信網などであってもよい。
【００１２】
撮影装置１０１は、利用者の画像を撮影する。また、後に説明するように、撮影により得られた画像情報に対して修飾を行うことができるようになっていてもよい。また、撮影装置１０１は、利用者より通知先情報を取得し、取得した通知先情報と画像情報とをサーバ装置に送信する。また、画像撮影装置１０１は、撮影により得られた画像情報に対してＩＤを生成し、このＩＤも取得した通知先情報と画像情報とをサーバに送信するときに送信してもよい。さらに、撮影装置１０１が画像情報の印刷機能を有している場合には、画像情報を印刷する際に、生成したＩＤも印字してもよい。これにより、利用者が通知先情報の入力を誤った場合や、通知先の電子メールアドレスなどを変更してしまった場合であっても、印字されたＩＤを用いて画像情報をダウンロードすることが可能となる。
【００１３】
通知先情報は、撮影した画像を端末装置１０３にダウンロードするための情報の通知先を表わす情報である。通知先情報としては、インターネットなどの通信網を介して提供されるサービスを利用して端末装置１０３を利用する利用者にメッセージを送信することができる情報である。例えば、通知先情報としては、利用者のメールアドレスを挙げることができる。また、ＳＮＳ（Ｓｏｃｉａｌ  Ｎｅｔｗｏｒｋ  Ｓｙｓｔｅｍ）における利用者の識別情報（ＩＤ）、スマートフォン用の通話アプリにおける利用者のＩＤ、携帯電話などでのＳＭＳ（Ｓｈｏｒｔ  Ｍｅｓｓａｇｅ  Ｓｅｒｖｉｃｅ）のための電話番号なども挙げることができる。通知先情報は、サーバ装置１０２が利用者に対してメッセージを、いわゆるＰＵＳＨ送信するための情報であることが好ましい。言い換えると、通知先情報は、サーバ装置１０２から利用者に向けて一方的に送信するための情報である。特に、通知先情報を受信するために利用者がサーバ装置１０２にアクセスする必要がないことが好ましい。
【００１４】
サーバ装置１０２は、撮影装置１０１より通知先情報とともに送信された画像情報を受信し、画像情報を記憶装置に格納する。このとき、サーバ装置は、通知先情報と関連付けて画像情報を記憶装置に格納してもよい。また、端末装置１０３より画像情報のダウンロードの要求を受信し、格納されている画像情報を送信する。
【００１５】
端末装置１０３は、通知先情報をサーバ装置１０２に送信することができる。例えば、赤外線通信などの機能を用いて端末装置１０３は、通知先情報を撮影装置１０１に送信することができる。また、端末装置１０３の有する画面に、通知先情報を文字列やバーコードの形式で表示し、撮影装置１０１が表示された通知先情報を撮影して取得してもよい。また、端末装置１０３の利用者が撮影装置１０１に備えられたキーボード、マウス、タッチパネルや電子ペンなどを用いて通知先情報を入力してもよい。
【００１６】
端末装置１０３は、サーバ装置１０２に格納されている画像情報を受信し、メモリに記憶する。また、端末装置１０３は、必要に応じてアプリケーションを起動し、メモリに記憶された画像情報に修飾などを加えることができるようになっていてもよい。
【００１７】
以下において、撮影装置１０１、サーバ装置１０２および端末装置１０３の構成および処理のフローチャートなどについて詳細に説明する。
【００１８】
図２は、撮影装置１０１の機能ブロック図を示す。図２（Ａ）に示すように、撮影装置１０１は、撮影部２０１と画像保持部２０２と通知先情報取得部２０４と送信部２０５とを有する。あるいは、図２（Ｂ）に示すように、撮影装置１０１は、さらに画像修飾部２０３を有するようになっていてもよい。なお、後に説明されるように撮影部２０１と通知先情報取得部２０４とは、撮影部２０１のカメラ部を共有して構成されていてもよい。
【００１９】
撮影部２０１は、画像を撮影し、画像情報を生成する。画像は、撮影装置１０１の利用者の画像を含む。このため、撮影部２０１は、ＣＣＤ素子などの撮像素子を有するカメラにより、光学系に入射した画像を画像情報に変換する。なお、後に説明するように画像情報から背景の部分を特定し、利用者の画像部分と背景の部分とを分離可能とするために、所定の色のカーテンなどを用いて背景色が所定の色となるようにし、カーテンなどとカメラとの間に利用者が位置して撮影が行われるようになっていてもよい。なお、背景の部分を除いた画像の画像情報を以下ではメイン画像情報という場合がある。
【００２０】
図３は、撮影部２０１の機能ブロック図の一例を示す。撮影部２０１は、カメラ部３０１を有する。カメラ部３０１は、上述した光学系と撮像素子とを有するカメラにより構成される。光学系により撮像素子上に像を結像させ、撮像素子により、結像の状態を電気信号に変換して画像情報を得る。また、撮影部２０１は、さらに背景特定部３０２を備えていてもよい。背景特定部３０２は、得られた画像情報のうち、背景の領域を特定する。これにより、撮影装置１０１の利用者などの人を撮影した画像の部分であるメイン画像と、背景の部分の画像とを区別することができる。背景部分の特定は、カーテンなどの所定の色の部分を求めることにより、行う。例えば、画像情報の外縁から内部に向けて、所定の色が連続する限り、背景の部分の画像であるとして、背景の部分を特定する。
【００２１】
図４は、背景特定部３０２による処理の一例を示す。画像情報４０１が、カメラ部３０１による撮影により得られた画像情報であるとする。このとき、背景特定部３０２は、背景の部分の画像４０３を特定する。これにより、背景の部分４０３とメイン画像の部分４０２とを分離することができる。すなわち、メイン画像の部分画像４０６を除いた背景の部分画像４０５の画像情報４０４（背景画像情報）と、背景の部分画像４０９を除いたメイン画像の部分画像４０８の画像情報４０７（メイン画像情報）とに分離できる。なお、図４において、斜線の部分（ハッチング部分）は、例えば透明な色の部分であり、別の画像を下のレイヤに重ねた場合、斜線の部分には下のレイヤの画像の部分が表示される。
【００２２】
画像保持部２０２は、撮影部２０１による撮影により得られた画像情報を保持する。例えばメモリ素子に一時的に記憶して、画像情報を保持する。また、画像保持部２０２は、次に説明する画像修飾部２０３による処理のための作業領域を提供することもできる。また、画像保持部２０２は、撮影部２０１による撮影により得られた画像情報が保持される領域と画像修飾部２０３による処理のための作業領域とを異なる領域として、画像情報を保持することが好ましい。あるいは、メイン画像情報が保持される領域と背景画像情報が保持される領域とを異なる領域として、画像情報を保持することが好ましい。
【００２３】
図５は、画像保持部２０２の機能ブロック図を示す。画像保持部２０２は、メイン画像情報保持部５０１を有する。また、画像保持部２０２は、さらに背景画像情報保持部５０２を有していてもよい。画像保持部２０２が背景画像情報保持部５０２を有する場合には、撮影部２０１は、背景特定部３０２を有する。この場合、撮影部２０１による撮影により得られた画像情報に対して、背景特定部３０２により背景の部分の画像が特定される。これにより、メイン画像情報が保持される領域と背景画像情報が保持される領域とを異なる領域として、画像情報を保持することができる。
【００２４】
なお、本発明は、メイン画像情報が保持される領域と背景画像情報が保持される領域とを異なる領域とすることに限定されることはない。図６は、画像保持部２０２に保持される画像情報の種々の形態を示す。第１の形態においては、第１画像情報を撮影された画像の画像情報、すなわち、撮影部２０１により撮影された画像の画像情報とし、第２画像情報を、修飾された画像の画像情報とする。
【００２５】
ここに、後に説明する画像修飾部２０３による修飾が、図４の画像情報４１０のように、背景画像情報に対して行われるようになっていれば、修飾された画像の画像情報は、画像情報４１０と画像情報４０７とを合成した画像情報４１３となる。撮影された画像との画像情報と修飾された画像の画像情報との差分を計算すれば、メイン画像情報を得ることができる。メイン画像情報を得ることができれば、修飾された画像の画像情報の上のレイヤにメイン画像情報を重ねて表示することにより、修飾の一部がメイン画像の上に表示され、メイン画像が見づらくなることがなくなる。
【００２６】
第２の形態においては、第１画像情報をメイン画像情報とし、第２画像情報を修飾された画像の画像情報とする。例えば、第１画像情報を画像情報４０７とし、第２画像情報を画像情報４１３とする。
【００２７】
第３の形態においては、第１画像情報を、修飾された画像情報とし、第２画像情報を修飾された背景画像の画像情報とする。例えば、第１画像情報を画像情報４１３とし、第２画像情報を画像情報４１０とする。画像情報４１３から画像情報４１０の差分を計算すれば、メイン画像情報４０７を得ることができる。
【００２８】
第４の形態においては、第１画像情報をメイン画像情報とし、第２画像情報を修飾された背景画像の画像情報とする。例えば、第１画像情報を画像情報４０７とし、第２画像情報を画像情報４１０とする。
【００２９】
次に、撮影装置１０１が画像修飾部２０３を有する場合について説明する。画像修飾部２０３は、撮影部２０１による撮影により得られた画像情報の背景部分の背景画像情報に対して修飾を加える。
【００３０】
修飾は、ディスプレイに画像情報を表示し、電子ペンやマウスなどによる操作や、あるいは、表示部分がタッチパネルになっている場合にはタッチパネルに人の指が触れるのを検出することによる操作によって、線を背景部分に書き加えたり、所定の部分画像を選択して配置したり、スタンプを押したりすることにより行われる。背景部分に修飾が加えられることにより、図４の画像４１３の矢４１２のように、メイン画像の下に修飾が加えられているように見え、メイン画像の人物を飾ることができる。
【００３１】
なお、撮影装置１０１は、（１）上述のように、背景部分に修飾を加えメイン画像には修飾を加えない第１のモードと、（２）背景部分に修飾を加え、また、メイン画像にも修飾が加えることができる第２のモードとを備えていてもよい。この場合、利用者の操作により、撮影装置１０１のモードを選択することができるようになっていてもよい。また、撮影装置１０１がジャンケンなどのゲームを利用者と行って、利用者が勝った場合に、利用者がモードを選択し、利用者が負けた場合には、撮影装置１０１が乱数などを生成してモードを選択してもよい。
【００３２】
図７は、画像修飾部２０３の機能ブロック図を示す。画像修飾部２０３は、操作検出部７０１と画像表示部７０２と操作実行部７０３とを有する。画像表示部７０２は、撮影部２０１による撮影により得られた画像情報を表示する。例えば、液晶ディスプレイなどとその制御回路と必要ならば制御プログラムなどから構成される。操作検出部７０１は、表示された画像情報に対する操作を検出する。上述したように、電子ペン、マウス、タッチパネルなどを用いる利用者による操作を検出する。例えば、線の描画、部分画像の選択、部分画像の配置、操作の取消などの操作を検出する。操作実行部７０３は、画像保持部２０２に保持された画像情報に対して、操作検出部７０１により検出された操作を加える。操作実行部７０３により操作が加えられた画像情報は、画像表示部７０２にも表示される。
【００３３】
通知先情報取得部２０４は、利用者より通知先情報を取得する。この通知先情報は、サーバ装置１０２に送信される画像情報をダウンロードして取得するための情報を端末装置１０３の利用者に通知するためなどに用いられる。
【００３４】
図８は、本発明の一実施形態における通知先情報取得部２０４の機能ブロック図を示す。通知先情報取得部２０４は、通知先情報読取部８０１と通知先情報送信部８０２とを有する。通知先情報読取部８０１は、通知先情報を読み取るなどして取得する。例えば、端末装置１０３が赤外線などを用いて通知先情報を送信するときには、赤外線などを受信し、通知先情報を復号し読み取る。また、端末装置１０３がその有するディスプレイに通知先情報を表示する場合には、撮影部のカメラ部３０１を用いてその表示を撮影し、文字認識やバーコードの復号などを行い、通知先情報を読み取ってもよい。また、近距離無線通信（Ｎｅａｒ  Ｆｉｅｌｄ  Ｃｏｍｍｕｎｉｃａｔｉｏｎ）を用いて、端末装置１０３が撮影装置１０１に通知先情報を送信してもよい。また、撮影装置１０１が画像修飾部２０３を備える場合には、電子ペンやマウス、タッチパネルを操作することにより入力される通知先情報を読み取ってもよい。
【００３５】
また、撮影装置１０３が備えるディスプレイにＵＲＬなどを表わすバーコード情報を表示してもよい。ここで、ＵＲＬなどは、通知先情報を入力するためのウェブページや通知先情報送信先（例えば電子メールアドレス）を表わす。撮影装置１０３が備えるディスプレイに表示されたバーコード情報を端末装置１０３の有するカメラで撮影し、復号を行い、端末装置１０３がそのＵＲＬなどが表わすウェブページなどにアクセスを行い、通知先情報を端末装置１０３を操作することにより、設定してもよい。
【００３６】
通知先情報送信部８０２は、通知先情報読取部８０１が読み取った通知先情報を送信部２０５へ送信する。
【００３７】
送信部２０５は、撮影部２０１による撮影により得られ、画像保持部２０２に保持された画像情報を、通知先情報取得部２０４により取得された通知先情報とともに送信する。なお、送信部２０５は、撮影部２０１により撮影された画像情報に加え、画像修飾部２０３により修飾された画像情報を送信してもよい。これにより、差分を計算することにより、メイン画像情報を得ることができる。なお、本発明は、画像修飾部２０３により修飾された画像情報と撮影部２０１により撮影された画像情報とが送信部２０５により送信される構成に限定されない。例えば、図６の第１画像情報と第２画像情報とを通知先情報とを送信することにより、画像修飾部２０３により修飾された画像情報とメイン画像情報とを分離できるような形態で送信することもできる。
【００３８】
図１０は、撮影装置１０１の処理の流れを説明するフローチャートの一例である。ステップＳ１００１の処理として、撮影部２０１により、画像を撮影し画像情報を得る。ステップＳ１００２の処理として、画像保持部２０２により、ステップＳ１００１において得られた画像情報を格納し保持する。また、撮影装置１０１が画像修飾部２０３を備える場合には、画像修飾部２０３により、ステップＳ１００２において保持された画像情報の修飾を行うこともできる。ステップＳ１００３の処理として、通知先情報取得部２０４により、通知先情報を取得する。ステップＳ１００４により、送信部２０５により、通知先情報と画像情報とを送信する。なお、ステップＳ１００１およびＳ１００２とステップＳ１００３との順序が逆になっていてもよい。
【００３９】
なお、撮影装置１０１を、ＣＰＵ、メモリ、二次記憶装置および送受信インターフェースを相互にバスにより接続した計算機に図１０のフローチャートの処理を実行するプログラムを動作させることにより実現することもできる。例えば、撮影部２０１による撮影により得られた画像情報は、二次記憶装置に記憶される。そして、撮影装置１０１が画像修飾部２０３を備える場合には、画像修飾部２０３の処理を行うプログラムをＣＰＵにより実行し、メモリを作業領域として用いて、画像情報に対する修飾を行う。また、通知先情報を、入出力インターフェースを用いて端末装置１０３との通信などを行ない取得し、入出力インターフェースを用いて、通知先情報と画像情報とが送信される。
【００４０】
もちろん、撮影装置１０１は、専用のＬＳＩなどを組み合わせてハードウェアのみの構成とすることもできる。また、撮影装置１０１は、上述した各部をそれぞれ構成するなどの複数の計算機を組み合わせて連動させることにより構成することもできる。
【００４１】
図１１は、サーバ装置１０２の機能ブロック図の一例を示す。サーバ装置１０２は、画像情報受信部１１０１と画像格納部１１０２とダウンロード情報送信部１１０３とダウンロード部１１０４とを有する。
【００４２】
画像情報受信部１１０１は、撮影装置１０１から送信された通知先情報と画像情報とを受信する。
【００４３】
図１２は、画像情報受信部１１０１の機能ブロック図の一例を示す。画像情報受信部１１０１は、通知先情報付画像情報受信部１２０１と通知先情報分離部１２０２と画像情報分離部１２０３とを有する。
【００４４】
通知先情報付画像情報受信部１２０１は、撮影装置１０１から送信された通知先情報と画像情報とを受信し、通知先情報分離部１２０２と画像情報分離部１２０３とに、受信した通知先情報と画像情報とを伝達する。例えば、通知先情報付画像情報受信部１２０１は、受信した通知先情報と画像情報とをサーバ装置１０２の有するメモリの所定アドレスに、受信した通知先情報と画像情報とを格納し、所定アドレスを通知先情報分離部１２０２と画像情報分離部１２０３とに伝達する。
【００４５】
通知先情報分離部１２０２は、通知先情報付画像情報受信部１２０１が受信した通知先情報と画像情報とから通知先情報を分離し、画像格納部１１０２に伝達する。
【００４６】
画像情報分離部１２０３は、通知先情報付画像情報受信部１２０１が受信した通知先情報と画像情報とから画像情報を分離する。分離された画像情報は、画像格納部１１０２に伝達される。
【００４７】
画像格納部１１０２は、画像情報受信部１１０１から伝達される画像情報を、サーバ装置１０２の記憶装置やメモリに格納する。また、端末装置１０３より画像情報のダウンロードの要求があると、格納された画像情報を取得するために、画像情報を読み出すことも行う。
【００４８】
図１３は、画像格納部１１０２の機能ブロック図の一例を示す。画像格納部１１０２は、テーブル１３０１と登録部１３０２と画像情報記憶部１３０３と検索部１３０４とを有する。
【００４９】
テーブル１３０１は、画像情報を記憶するためのデータ構造である。本発明を実施するための必須の構成ではないが、図１３では、通知先情報と第１画像情報および第２画像情報とを関連付けて記憶することができる場合のテーブル１３０１の例を示している。例えば、通知先情報としてのａ＠ｂ．ｋｒと、第１画像情報を格納したファイル名としての０１２３４５．ｊｐｇと第２画像情報を格納したファイル名としての６７８９１０．ｊｐｇとを一行に格納する。これにより、０１２３４５．ｊｐｇに格納された画像情報および６７８９１０．ｊｐｇに格納された画像情報がａ＠ｂ．ｋｒという通知先情報と関連付けられる。
【００５０】
登録部１３０２は、画像情報受信部１１０１から伝達される画像情報をテーブル１３０１に登録する。また、登録された画像情報をダウンロードするためのダウンロード情報を生成し、画像情報受信部１１０１から伝達された通知先情報が表わす通知先に送信可能とする。
【００５１】
ダウンロード情報は、例えば、ＵＲＬ（Ｕｎｉｆｏｒｍ  Ｒｅｓｏｕｒｃｅ  Ｌｏｃａｔｏｒ）などの、ファイル名を識別するための情報である。ここでいうファイル名は、画像情報を格納しているファイルの名前である。そのようなファイルは、上述したように、画像格納部１１０２やサーバ装置１０２の内部や、サーバ装置１０２からアクセス可能な記憶装置に配置されている。通知先情報は、上述したようにＰＵＳＨ送信することができる通知先を表わすので、端末装置１０３の利用者がサーバ装置１０２にアクセスを行わなくても一方的にダウンロード情報を送信することができ、端末装置１０３の利用者に利用者登録の作業を行わせる必要がない。
【００５２】
ダウンロード情報には、画像情報を格納しているファイルの名前がそのまま含まれていてもよいし、通知先情報が含まれていてもよい。通知先情報は暗号化されていてもよい。これによりダウンロード情報を含むダウンロード要求を送信した端末装置１０３を認証することができる。
【００５３】
画像格納部１１０２において、図１３に示すように通知先情報と関連付けて画像情報が格納されている場合に、通知先情報がダウンロード情報に含まれていれば、ダウンロード情報に含まれる通知先情報に関連付けられている画像情報を全てダウンロードすることが可能となる。これにより、通知先情報に関連付けられている画像情報の一覧を表示するウェブページをサーバ装置１０２において生成し、端末装置において表示することが可能となる。すなわち、サーバ装置１０２は、ダウンロード情報を受信すると、ダウンロード情報に含まれる通知先情報を求め、テーブル１３０１において通知先と関連付けられている画像情報のファイル名を取得し、取得されたファイル名をクリック可能に表示するウェブページや、取得されたファイル名で示されるファイルに格納されている画像を表示するウェブページを生成することができる。また、このウェブページにおいて、画像情報ごとにダウンロードがされたか否かを表示することにより、重複して画像情報をダウンロードすることを防止することができる。また、万が一、情報が漏えいするなどにより、他人がダウンロードした場合に、情報の漏えいがあったことを検出することができ、適切な行動をとることができる。
【００５４】
画像情報記憶部１３０３は、画像情報受信部１１０１から伝達される画像情報を格納し、ファイル名を付与する。登録部１３０２は、画像情報を画像情報記憶部１３０３により格納し、それぞれのファイル名を得て、テーブル１３０１に通知先情報に関連付けて格納する。また、登録部１３０２は、ファイル名を得て、登録された画像情報を特定しダウンロードするためのダウンロード情報を生成する。
【００５５】
画像取得部１３０４は、ダウンロード情報が与えられるとそのダウンロード情報により特定される画像情報の有無を判断し、画像情報が有れば、その画像情報を取得する。取得された画像情報は、ダウンロード部１１０４に伝達される。
【００５６】
ダウンロード情報送信部１１０３は、登録部１３０２が送信可能としたダウンロード情報を通知先情報の表わす通知先へ送信する。通知先情報を、ダウンロードに関する情報を送信するためにのみ使用することにより、他人への通知先情報の漏えいを防止し、また、画像情報の漏えいを防止することができる。
【００５７】
図１４は、ダウンロード情報送信部１１０３の機能ブロック図の一例を示す。ダウンロード情報送信部１１０３は、ダウンロード情報取得部１４０１とダウンロード情報通知部１４０２とを有する。ダウンロード情報取得部１４０１は、登録部１３０２が画像格納部１１０２に画像情報を格納すると、登録部１３０２より、その通知先情報の表わす通知先にその画像情報をダウンロードするためのダウンロード情報を取得する。ダウンロード情報通知部１４０２は、ダウンロード情報を通知先情報の表わす通知先へ送信する。
【００５８】
図１５は、ダウンロード部１１０４の機能ブロック図の一例を示す。画像情報返信部１１０４は、ダウンロード要求受信部１５０１と画像情報取得部１５０２と取得画像情報送信部１５０３とを有する。ダウンロード要求受信部１５０１は、端末装置よりダウンロード情報を含むダウンロード要求を受信し、画像情報取得部１５０２に画像情報を取得させる。画像情報取得部１５０２は、画像取得部１３０４などにより、画像情報を取得する。取得画像情報送信部１５０３は、画像情報取得部１５０２が取得した画像情報を、端末装置１０３に送信する。
【００５９】
図１６は、本実施形態に係るサーバ装置１０２の処理の流れを説明するフローチャートである。図１６の（Ａ）は、撮影装置１０１から送信される通知先情報と画像情報とを受信した際の処理の流れを示し、図１６の（Ｂ）は、端末装置１０３から送信されるダウンロード要求を受信した際の処理の流れを示す。
【００６０】
ステップＳ１６０１の処理において、画像情報受信部１１０１により、通知先情報付画像情報を受信する。ステップＳ１６０２の処理において、通知先情報付画像情報から分離、合成される通知先情報、画像情報を画像格納部１１０２に格納する。ステップＳ１６０３の処理において、ダウンロード情報を取得し、通知先情報の表わす通知先へダウンロード情報を送信する。
【００６１】
ステップＳ１６０４の処理として、ダウンロード要求受信部１１０３により、端末装置１０３から送信されたダウンロード要求を受信する。ステップＳ１６０５の処理として、画像格納部１１０２により、ダウンロード要求により要求されている画像情報を取得する。ステップＳ１６０６の処理として、ダウンロード部１１０４により、画像情報を端末装置１０３に返信する。
【００６２】
サーバ装置１０２は、ＣＰＵ、メモリ、二次記憶装置および送受信インターフェースを相互にバスにより接続した計算機に図１６のフローチャートの処理を実行するプログラムを動作させることにより実現することもできる。例えば、送受信インターフェースにより、通知先情報と画像情報とを受信し、メモリに格納し、通知先情報および画像情報に分離する。次に画像情報を二次記憶装置に構築されているデータベースに格納する。そして、画像情報をダウンロードするためのダウンロード情報を取得し、通知先情報の表わす通知先へダウンロード情報を送受信インターフェースにより送信する。送受信インターフェースが端末装置１０３よりダウロード要求を受信すると、画像情報を取得し、送受信インターフェースにより、画像情を端末装置１０３に返信する。
【００６３】
図１７は、端末装置１０３の機能ブロック図の一例を示す。端末装置１０３は、ダウンロード開始部１７０１とダウンロード要求送信部１７０２と画像情報受信部１７０３と画像メモリ１７０４とを有する。端末装置１０３は端末修飾部１７０５を有することもできる。
【００６４】
ダウンロード開始部１７０１は、ダウンロード情報を受信し、画像情報を端末装置１０３にダウンロード可能にする。例えば、ダウンロード情報が電子メールに含まれるＵＲＬとして端末装置１０３により受信された場合には、その電子メールを表示して、ＵＲＬをクリック可能にする。ＵＲＬがクリックされれば、ダウンロード要求送信部１７０２がそのＵＲＬをダウンロード要求としてサーバ装置１０２に送信し、画像情報受信部１７０３がサーバ装置１０２より返信される画像情報を受信する。画像メモリ１７０４は、サーバ装置１０２より受信された画像情報を受信する。
【００６５】
端末修飾部１７０５は、サーバ装置１０２より受信され画像メモリ１７０４に記憶された画像情報を端末装置１０３側で修飾し、撮影装置１０１の画像修飾部２０３と同等あるいは一部の機能を有していてもよい。すなわち、端末修飾部１７０５により、サーバ装置１０２より受信された画像情報に対して修飾を行えるようになっていてもよい。この場合、メイン画像の下に白色のレイヤが配置され、白色のレイヤに対して修飾が行われる。これにより、撮影装置１０１で行った修飾とは異なる修飾を端末装置１０３において実行することができる。すなわち、修飾は、背景に対して行われるように見えるようにすることができる。
【００６６】
図１８は、端末装置１０３の処理の流れを説明するフローチャートの一例である。ステップＳ１８０１の処理として、ダウンロード開始部１７０１により、ダウンロード命令を取得する。ダウンロード命令は、利用者がＵＲＬをクリックなどすることとして取得できる。ステップＳ１８０２の処理として、ダウンロード要求送信部１７０２によりダウンロード要求を送信する。ステップＳ１８０３の処理として、画像情報受信部１７０３により、画像情報を受信する。ステップＳ１８０４の処理として、ステップＳ１８０３において受信された画像情報を、画像メモリに記憶する。
【００６７】
端末装置１０３は、パーソナルコンピュータや携帯端末により実現することができる。特に端末装置１０３が携帯端末により実現される場合には、端末修飾部１７０５は、携帯端末１０３で動作するアプリケーションにより実現してもよい。
【００６８】
図１９は、本発明の一実施形態に係る画像撮影システムの処理のシーケンス図の一例を示す。ステップＳ１９０１において、端末装置１０３から撮影装置１０１へ通知先情報が送信される。ステップＳ１９０２において、通知先情報、画像情報が撮影装置１０１からサーバ装置１０２へ送信される。ステップＳ１９０３において、サーバ装置１０２から端末装置１０３へダウンロード情報が送信される。ステップＳ１９０４において、端末装置１０３からダウンロード要求が送信される。ステップＳ１９０５において、ダウンロード情報の送信に応じて、サーバ装置１０２から端末装置１０３に画像情報が送信され、端末装置１０３にダウンロードされる。
【符号の説明】
【００６９】
１００  画像撮影システム
１０１  撮影装置
１０２  サーバ装置
１０３  端末装置
【図１】
2013239028.tif 000003
【図２】
2013239028.tif 000004
【図３】
2013239028.tif 000005
【図４】
2013239028.tif 000006
【図５】
2013239028.tif 000007
【図６】
2013239028.tif 000008
【図７】
2013239028.tif 000009
【図８】
2013239028.tif 000010
【図９】
2013239028.tif 000011
【図１０】
2013239028.tif 000012
【図１１】
2013239028.tif 000013
【図１２】
2013239028.tif 000014
【図１３】
2013239028.tif 000015
【図１４】
2013239028.tif 000016
【図１５】
2013239028.tif 000017
【図１６】
2013239028.tif 000018
【図１７】
2013239028.tif 000019
【図１８】
2013239028.tif 000020
【図１９】
2013239028.tif 000021